(57)【要約】【課題】循環ファンケーシングとヒータユニットとの結合部からの風漏れを防止できる浴室換気乾燥機を提供することを目的とする。【解決手段】循環ファンの循環ファンケーシング１０のフランジ部１１にヒータユニット３側に向かう折り返し部１２を設け、ヒータユニット３に折り返し部１２が係合する係合構部１３を設け、循環ファンケーシング１０に設けた折り返し部１２をヒータユニット３に設けた係合溝部１３に結合することにより、風漏れがおきにくく、また、ヒータの熱や経年劣化によりヒータユニットに変形する力が働いても、変形が押さえられ、風漏れが防止できる浴室換気乾燥機が得られる。【選択図】図１
2006280699.tif 000002
【特許請求の範囲】
【請求項１】
下面が開口し、内部に換気ファンと循環ファンおよびヒータユニットを設けた本体と、この本体の下面の開口を覆うように設けられる吸込グリルと吹出グリルを設けたルーバーと、前記循環ファンの循環ファンケーシングとを備え、前記循環ファンケーシングのフランジ部に前記ヒータユニット側に向かう折り返し部を設け、前記ヒータユニットに前記折り返し部が係合する係合溝部を設けた浴室換気乾燥機。
【請求項２】
循環ファンケーシングの吹出口にフランジ部を形成し、ヒータユニットの流入口にもフランジ部を形成し、一方のフランジ部の両端部を、折り返し形成した折り返し部の内側に他方のフランジ部の両端部を挿入して連結する構成とした請求項１を記載の浴室換気乾燥機。
【請求項３】
循環ファンケーシングの吹出口に形成したフランジ部と、ヒータユニットの流入口に形成したフランジ部の両方のフランジ部の両端部に折り返し部を形成し、折り返し部同志を係合する構成とした請求項１または２記載の浴室換気乾燥機。
【請求項４】
循環ファンケーシングの着脱をヒータユニットに設けた折り返し部間に沿って行う構成とした請求項１記載の浴室換気乾燥機。
【請求項５】
折り返し部を下部ほど狭くなって、隙間がなくなる構成とした請求項１記載の浴室換気乾燥機。
【請求項６】
仕切り板に設けた収納溝にリード線を収納し、循環ファンケーシングに設けたフランジ部でリード線を押え込む構成とした請求項１記載の浴室換気乾燥機。
【発明の詳細な説明】
【技術分野】
【０００１】
本発明は、浴室に設置し、洗濯物の乾燥および浴室の換気を行うことのできる浴室換気乾燥機に関する。
【０００２】
従来、この種の浴室換気乾燥機の一例として浴室を利用して洗濯物を乾燥する浴室乾燥機が知られている（例へば、特許文献１参照）。
【０００３】
以下、その浴室乾燥機について図９を参照しながら説明する。
【０００４】
図に示すように、本体１０１を形成するケーシング１０２の内部にはモータ１０３で回転する送風用ファン１０４が設けられ、送風用ファン１０４からの風はダンパー１０５により風向きを制御され浴室への風路１０６からヒータ１０７、吹出グリル１０８を介して浴室内に送風するように設け構成している。
【特許文献１】特開２００４−３７２２号公報（〔００４３〕、図1）
【発明の開示】
【発明が解決しようとする課題】
【０００５】
このような従来の浴室乾燥機では、送風用ファン１０４とヒータ１０７との間には長い風路１０６を設けているので、浴室乾燥機の小形化を図ることができないという課題があり、小形化を図るために風路１０６を短くして送風用ファン１０４の吹出口に近接してヒータ１０７を設けるときには、送風用ファン１０４を囲むファンケーシングやヒータ１０７を収納して形成されるヒータユニットを樹脂で形成する場合、ファンケーシングと高温となるヒータ１０７とヒータユニットの材質を変える必要があり、そのため、ファンケーシングとヒータユニットの結合を空気漏れのないように結合しなければならないという課題があり、ファンケーシングとヒータユニットの隙間を無くして空気漏れのないように結合することが要求されている。
【０００６】
本発明は、このような従来の課題を解決するものであり、ファンケーシングの吹出口にヒータユニットを空気漏れのないように結合できる浴室換気乾燥機を提供することを目的としている。
【課題を解決するための手段】
【０００７】
本発明の浴室換気乾燥機は上記目的を達成するために、下面が開口し、内部に換気ファンと循環ファンおよびヒータユニットを設けた本体と、この本体の下面の開口を覆うように設けられる吸込グリルと吹出グリルを設けたルーバーと、前記循環ファンの循環ファンケーシングとを備え、前記循環ファンケーシングのフランジ部に前記ヒータユニット側に向かう折り返し部を設け、前記ヒータユニットに前記折り返し部が係合する係合溝部を設けたものである。
【０００８】
この手段により、隙間が発生することがなく、風漏れが防止できる浴室換気乾燥機が得られる。
【０００９】
また、他の手段は、循環ファンケーシングの吹出口にフランジ部を形成し、ヒータユニットの流入口にもフランジ部を形成し、一方のフランジ部の両端部を、折り返し形成した折り返し部の内側に他方のフランジ部の両端部を挿入して連結する構成としたものである。
【００１０】
この手段により、さらに隙間がなくなり、風漏れを防止できる浴室換気乾燥機が得られる。
【００１１】
また、他の手段は、循環ファンケーシングの吹出口に形成したフランジ部と、ヒータユニットの流入口に形成したフランジ部の両方のフランジ部の両端部に折り返し部を形成し、折り返し部同志を係合する構成としたものである。
【００１２】
この手段により、より隙間が発生しにくくなる浴室換気乾燥機が得られる。
【００１３】
また、他の手段は、循環ファンケーシング着脱を折り返し部間に沿って行う構成としたものである。
【００１４】
この手段により、組立て取外しが容易となる浴室換気乾燥機が得られる。
【００１５】
また、他の手段は、折り返し部は、下部ほど狭くなり隙間がなくなる構成としたものである。
【００１６】
この手段により、ファンケーシングの取付時の挿入が容易となる浴室換気乾燥機が得られる。
【００１７】
また、他の手段は、仕切り板に設けた溝にリード線を収納し、循環ファンケーシングに設けたフランジ部でリード線を押え込む構成としたものである。
【００１８】
この手段により、リード線のかみ込みを防止することができる浴室換気乾燥機が得られる。
【発明の効果】
【００１９】
本発明によれば、隙間が発生することなく風漏れが防止できるという効果のある浴室換気乾燥機を提供できる。
【００２０】
また、組立て、取外しが容易となるという効果のある浴室換気乾燥機を提供できる。
【００２１】
また、ファンケーシングの取付時の挿入が容易となるという効果のある浴室換気乾燥機を提供できる。
【００２２】
また、リード線のかみ込みを防止できるという効果のある浴室換気乾燥機を提供できる。
【発明を実施するための最良の形態】
【００２３】
本発明の請求項１記載の発明は、下面が開口し、内部に換気ファンと循環ファンおよびヒータユニットを設けた本体と、この本体の下面の開口を覆うように設けられる吸込グリルと吹出グリルを設けたルーバーと、前記循環ファンの循環ファンケーシングとを備え、前記循環ファンケーシングのフランジ部に前記ヒータユニット側に向かう折り返し部を設け、前記ヒータユニットに前記折り返し部が係合する係合溝部を設けたものであり、循環ファンケーシングの吹出口側には、圧損抵抗が大きいヒータユニットが設けられているため、この部分の圧力は高まることとなり、隙間が少しでもあると風漏れが発生し、性能が低下するという恐れがあるが、折り返し部と係合溝部が係合することにより空気漏れがおきにくくなる。また、ヒータユニットに設けられているヒータの熱や経年劣化により樹脂成形されたヒータユニットの樹脂が変形する力が働いても折り返し部と係合溝部が係合しているので、変形が押さえられ隙間が発生することがなく、風漏れが防止できる。また、隙間が発生しないので隙間を埋めるパッキン等が不要となるとともに、本体に取り付ける取付ねじの本数も削減でき、メンテナンスが容易にできるという作用を有する。
【００２４】
また、請求項２記載の発明は、循環ファンケーシングの吹出口にフランジ部を形成し、ヒータユニットの流入口にもフランジ部を形成し一方のフランジ部の両端部を折り返し形成した折り返し部の内側に他方のフランジ部の両端部を挿入して連結する構成としたものであり、フランジ部と折り返し部の挿入構造により、さらに隙間が少なくなり風漏れが防止できるという作用を有する。
【００２５】
また、請求項３記載の発明は、循環ファンケーシングの吹出口に形成したフランジ部と、ヒータユニットの流入口に形成したフランジ部の両方のフランジ部の両端部に折り返し部を形成し、折り返し部同志を係合する構成としたものであり、両方のフランジ部に設けられた折り返し部同志が係合することにより、より一そう隙間が発生しにくくなり、風漏れを防止できるという作用を有する。
【００２６】
また、請求項４記載の発明は、循環ファンケーシングの着脱をヒータユニットに設けた折り返し部間に沿って行う構成としたものであり、折り返し部に沿って着脱ができるので、組立て、取外しが容易となり、循環ファンケーシングとヒータユニットの位置決めも兼用でき、取付ねじの本数も削減できる。また、循環ファンケーシングの位置がずれることがなくなり、循環ファンとの位置関係が正常に維持され循環性能が低下することがなくなるという作用を有する。
【００２７】
また、請求項５記載の発明は、折り返し部を下部ほど狭くなって隙間がなくなる構成としたものであり、上部は隙間が広いので、循環ファンケーシングを取り付けるときの挿入が容易となり、下部は隙間がせまいので、風漏れが生じにくくなるとともに、位置決めも確実に行うことができるという作用を有する。
【００２８】
また、請求項６記載の発明は、仕切り板に設けた収納構にリード線を収納し、循環ファンケーシングに設けたフランジ部でリード線を押え込む構成としたものであり、循環ファンケーシングのフランジ部で風漏れを防止できるとともに収納構にあらかじめリード線を収納した上から、フランジ部で押さえこむことにより、リード線のかみ込みを防止できるという作用を有する。
【００２９】
以下、本発明の実施の形態について図面を参照しながら説明する。
【００３０】
（実施の形態１）
図１および図２に示すように、下面が開口した箱状で内部に換気ファン１と循環ファン２およびヒータユニット３を設け、外部に屋外に連通される排気口４とトイレや洗面所等に連結される吸込口５Ａ、５Ｂを設けた本体６と、本体６の下面開口を覆うように設けられる吸込グリル７と吹出グリル８を設けたルーバー９と、循環ファン２の循環ファンケーシング１０とを設け、循環ファンケーシング１０のフランジ部１１にヒータユニット３側に向かう折り返し部１２を設け、ヒータユニット３に折り返し部１２に係合する係合構部１３を設けた構成とする。また、浴室内の空気を換気するための浴室吸込口２０と浴室吸込口２０を開閉する電動ダンパー２１が、本体６内の浴室に面した下面に設けられている。
【００３１】
上記構成において、組立てるときには、ヒータユニット３に設けた係合構部１３に循環ファンケーシング１０のフランジ部１１に設けた折り返し部１２を結合し、循環ファンケーシング１０の吹出側をヒータユニット３に結合して組み立て、浴室の天井に本体６を設置する。
【００３２】
そして、浴室換気乾燥機を運転すると、浴室内の空気が吸込グリル７より循環ファン２に吸い込まれ、循環ファンケーシング１０の吹出側より、循環ファンケーシング１０に設けた折り返し部１２と係合構部１３により結合されているヒータユニット３に送られ、ヒータユニット３内で加熱されて生成された温風が吹出グリル８より浴室内に吹出され、浴室内に吊り下げられた衣類（図示せず）等の乾燥が行なわれる。一方、換気ファン１の運転により、吸込口５Ａ、５Ｂがトイレや洗面所等に連結されている場合には、トイレや洗面所から吸気されるとともに浴室吸込口２０に設けられた電動ダンパー２１が開き、乾燥により、衣類に含まれた湿分を含んだ浴室内の空気が浴室吸込口２０から吸い込まれ排気口４より換気されることとなる。
【００３３】
このように実施の形態１の発明によれば、循環ファンケーシング１０のフランジ部１１にヒータユニット３側に向かう折り返し部１２を設け、ヒータユニット３に折り返し部１２が係合する係合構部１３を設けていることにより、循環ファンケーシング１０の吹出側には圧損抵抗が大きいヒータユニット３が設けられているため、この部分の圧力は高まることとなり、隙間が少しでもあると風漏れが発生し、性能が低下するという恐れがあるが、折り返し部１２と係合構部１３が係合することにより、風漏れが生じにくくなる。また、ヒータユニット３内に設けられているヒータ（図示せず）の熱や経年劣化により樹脂成形されたヒータユニット３の樹脂に変形する力が働いても、折り返し部１２と係合構部１３が係合しているので、変形が押えられ隙間が発生することがなく、風漏れを防止できる。また、隙間が発生しないので隙間を埋めるパッキン等が不要となるとともに、本体６に取り付ける取付ねじの本数も削減でき、メンテナンスが容易にできることとなる。
【００３４】
（実施の形態２）
図３および図４に示すように、循環ファンケーシング１０Ａの吹出口１４にフランジ部１１Ａを形成し、ヒータユニット３Ａの流入口１５にもフランジ部１１Ｂを形成し、一方のフランジ部１１Ｂの両端部１６に折り返し形成した折り返し部１２Ａを形成し、折り返し部１２Ａの内側に他方のフランジ部１１Ａの両端部１６Ａを挿入して連結する構成とする。
【００３５】
上記構成において、ヒータユニット３Ａに循環ファンケーシング１０Ａを直結するときには、ヒータユニット３Ａのフランジ部１１Ｂの両端部１６に形成した折り返し部１２Ａの内側に循環ファンケーシング１０Ａの吹出口１４のフランジ部１１Ａを挿入し、ヒータユニット３Ａに循環ファンケーシング１０Ａを連結し組立てる。
【００３６】
このように実施の形態２の発明によれば、循環ファンケーシング１０Ａの吹出口１４にフランジ部１１Ａを形成し、ヒータユニット３Ａの流入口１５にもフランジ部１１Ｂを形成し、一方のフランジ部１１Ａまたは１１Ｂの両端部１６または１６Ａのいずれかに折り返し部１２Ａを形成し、折り返し部１２Ａの内側に、他方のフランジ部１１Ａまたは１１Ｂの両端部１６または１６Ａを挿入して連結し組立てるので、フランジ部１１Ａまたは１１Ｂと折り返し部１２Ａの連結構造により、隙間が少なくなり、風漏れを防止できることとなる。
【００３７】
（実施の形態３）
図５に示すように、循環ファンケーシング１０Ｂの吹出口１４Ａに形成したフランジ部１１Ｃとヒータユニット３Ｂの流入口１５Ａに形成したフランジ部の１１Ｄの両方のフランジ部１１Ｃ、１１Ｄの両端部に折り返し部１２Ｂ、１２Ｃを形成し、折り返し部１２Ｂ、１２Ｃ同志を係合する構成とする。
【００３８】
上記構成において、ヒータユニット３Ｂに循環ファンケーシング１０Ｂを結合する場合には、ヒータユニット３Ｂのフランジ部１１Ｄに設けた折り返し部１２Ｂと循環ファンケーシング１０Ｂのフランジ部１１Ｃに設けた折り返し部１２Ｃを係合することにより、ヒータユニット３Ｂに循環ファンケーシング１０Ｂが結合されて組立てられる。
【００３９】
このように実施の形態３の発明によれば、循環ファンケーシング１０Ｂの吹出口１４Ａに形成したフランジ部１１Ｃとヒータユニット３Ｂの流入口１５Ａに形成したフランジ部１１Ｄの両方のフランジ部１１Ｃ、１１Ｄの両端部に折り返し部１２Ｂ、１２Ｃを形成し折り返し部１２Ｂ、１２Ｃ同志を係合するので、より一層隙間が発生しにくくなり風漏れを防止し、性能の低下することがないようにできることとなる。
【００４０】
（実施の形態４）
図６に示すように、循環ファンケーシング１０Ｃの着脱をヒータユニット３Ｃに設けた折り返し部１２Ｄ間に沿って行なう構成とする。
【００４１】
上記構成において、循環ファンケーシング１０Ｃの両端部１６Ｃはヒータユニットの両端に設けた折り返し部１２Ｄ間に上方から挿入してヒータユニット３Ｃに循環ファンケーシング１０Ｃが結合されて組立てられる。
【００４２】
このように実施の形態４の発明によれば、循環ファンケーシング１０Ｃの着脱を折り返し部１２Ｄ間に沿って行うので、組立て、取外しが容易となり、循環ファンケーシング１０Ｃとヒータユニット３Ｃとの位置決めを兼用することができ、また循環ファンケーシング１０Ｃの位置のずれることがなくなり、循環ファン２Ａとの位置関係が正状に維持され、循環機能が低下するのがなくなることとなる。
【００４３】
（実施の形態５）
図７に示すように、ヒータユニット３Ｄに設けられる折り返し部１２Ｅを下部は狭くなって隙間がなくなる構成とする。
【００４４】
上記構成において、ヒータユニット３Ｄに設けられた折り返し部１２Ｅに循環ファンケーシング１０Ｄの両端部１６Ｄを上部から下部に向かい挿入し結合して組立てる。
【００４５】
このように実施の形態５の発明によれば、折り返し部１２Ｅを下部ほど狭くなって隙間がなくなるようにしたので、上部は隙間が広いので循環ファンケーシング１０Ｄを取り付けるときの挿入が容易となり、下部は隙間が狭いので折り返し部１２Ｅに循環ファンケーシング１０Ｄの端部が密接し、風漏れが生じにくくなるとともに、位置決めも確実に行なうことができることとなる。
【００４６】
（実施の形態６）
図８に示すように、仕切板１７に設けた収納構１８にリード線１９を収納し、循環ファンケーシング１０Ｅに設けたフランジ部１１Ｄでリード線１９を押え込む構成とする。
【００４７】
上記構成において、リード線１９は収納構１８に収納され、循環ファンケーシング１０Ｅに設けたフランジ部１１Ｄでリード線１９を押え込むように組立てる。
【００４８】
このように実施の形態６の発明によれば、仕切板１７に設けた収納構１８にリード線１９を収納し、循環ファンケーシング１０Ｅに設けたフランジ部１１Ｄでリード線１９を押え込むので、循環ファンケーシング１０Ｅのフランジ部１１Ｄで風漏れを防止できるとともに、収納構１８にあらかじめ収納した上から、フランジ部１１Ｄで押さえ込むことによりリード線１９のかみ込みを防止することができることとなる。
【産業上の利用可能性】
【００４９】
折り返し部と係合構部を用い、ファンケーシングとヒータユニットを結合することにより、温風機の用途にも適用できる。
【図面の簡単な説明】
【００５０】
【図１】本発明の実施の形態１の浴室換気乾燥機の結合状態を示す部分斜視図
【図２】同浴室換気乾燥機の一部破断した斜視図
【図３】本発明の実施の形態２の浴室換気乾燥機の結合部分を示す一部破断した上面図
【図４】同浴室換気乾燥機の結合部分を示す拡大図
【図５】本発明の実施の形態３の浴室換気乾燥機の結合部分を示す拡大図
【図６】本発明の実施の形態４の浴室換気乾燥機の結合部分を示す拡大図
【図７】本発明の実施の形態５の浴室換気乾燥機の結合部分を示す斜視図
【図８】本発明の実施の形態６の浴室換気乾燥機のリード線の収納状態を示す断面図
【図９】従来の浴室乾燥機の蓋体を外した状態を示す斜視図
【符号の説明】
【００５１】
１    換気ファン
２    循環ファン
３    ヒータユニット
３Ａ  ヒータユニット
３Ｂ  ヒータユニット
３Ｃ  ヒータユニット
６    本体
７    吸込グリル
８    吹出グリル
９    ルーバー
１０    循環ファンケーシング
１０Ａ  循環ファンケーシング
１０Ｂ  循環ファンケーシング
１０Ｃ  循環ファンケーシング
１０Ｅ  循環ファンケーシング
１１    フランジ部
１１Ａ  フランジ部
１１Ｂ  フランジ部
１１Ｃ  フランジ部
１１Ｄ  フランジ部
１２    折り返し部
１２Ａ  折り返し部
１２Ｂ  折り返し部
１２Ｃ  折り返し部
１２Ｄ  折り返し部
１２Ｅ  折り返し部
１３    係合溝部
１４    吹出口
１５    流入口
１６    両端部
１６Ａ  両端部
１６Ｂ  両端部
１７    仕切板
１８    収納溝
１９    リード線
【図１】
2006280699.tif 000003
【図２】
2006280699.tif 000004
【図３】
2006280699.tif 000005
【図４】
2006280699.tif 000006
【図５】
2006280699.tif 000007
【図６】
2006280699.tif 000008
【図７】
2006280699.tif 000009
【図８】
2006280699.tif 000010
【図９】
2006280699.tif 000011